(57)【要約】【課題】２値画情報表示データの多値画情報表示データへの編集を容易に行うことができる表示データ編集装置及び電光表示システムを得る。【解決手段】画情報抽出部２１３が、２値画情報表示データの各ドットに注目して、この注目ドットを含む一定範囲の２値画情報を注目ドット毎に抽出し、照合部２１４が、注目ドット毎に画情報抽出部２１３で抽出された２値画情報を記憶部２１２に記憶されている２値画情報表示データと照合して、注目ドットが画像の輪郭部分に相当するかどうかを判別し、注目ドットが画像の輪郭部分に相当する場合には、濃度補正部２１５が、注目ドットを除く一定範囲の各ドットに対応させた係数値を用いて注目ドットの階調値を決定して、その階調値に応じた濃度補正を行う。【選択図】図３
2008233829.tif 000002
【特許請求の範囲】
【請求項１】
複数配列した発光素子を点滅することで文字や画像等を表示する表示装置に使用する表示データを作成する表示データ編集装置において、
２値画情報表示データの各ドットに注目して、注目ドット毎にそれを含む一定範囲の各ドットの状態から当該注目ドットが画像の輪郭部分に相当するかどうかを判別する画像輪郭判別手段と、
前記注目ドットが画像の輪郭部分に相当する場合には該注目ドットに対して濃度補正を行う濃度処理手段と、
を備える表示データ編集装置。
【請求項２】
前記濃度処理手段は、前記注目ドットを除く前記一定範囲の各ドットに対応させた係数値を用いて前記注目ドットの階調値を決定し、決定した階調値に応じた濃度補正を行う請求項１に記載の表示データ編集装置。
【請求項３】
前記一定範囲の各ドットに対応させた係数値を、前記注目ドットの左右上下の４ドットに対応させる係数値と斜めの４ドットに対応させる係数値を異なる値にし、
前記濃度処理手段は、前記各係数値を用いて前記注目ドットの階調値を決定する請求項２に記載の表示データ編集装置。
【請求項４】
複数配列した発光素子を点滅することで文字や画像等を表示する表示装置に使用する表示データを作成する表示データ編集装置において、
２値画情報表示データの各ドットに注目して、注目ドット毎にそれを含む一定範囲の各ドットの状態から当該注目ドットが画像の輪郭部分以外の部分に相当するかどうかを判別する画像輪郭判別手段と、
前記注目ドットが画像の輪郭部分以外の部分に相当する場合には該注目ドットに対して濃度補正を行う濃度処理手段と、
を備える表示データ編集装置。
【請求項５】
前記濃度処理手段は、前記注目ドットに対して、前記２値画情報表示データにおける位置や前記２値画情報表示データで表示される内容を元にグラデーションを実現する階調値を含む背景用の階調値を決定し、決定した階調値に応じた濃度補正を前記注目ドットに対して行う請求項４に記載の表示データ編集装置。
【請求項６】
請求項１乃至請求項５のいずれかに記載の表示データ編集装置と、
前記表示データ編集装置で作成された表示データを使用して、複数配列した発光素子を点滅することで文字や画像等を表示する表示装置と、
を備える電光表示システム。
【請求項７】
複数配列した発光素子を点滅することで文字や画像等を表示する表示装置に使用する表示データを作成する表示データ編集方法において、
２値画情報表示データの各ドットに注目して、注目ドット毎にそれを含む一定範囲の各ドットの状態から当該注目ドットが画像の輪郭部分に相当するかどうかを判別するステップと、
前記注目ドットが画像の輪郭部分に相当する場合には、前記注目ドットを除く前記一定範囲の各ドットに対応させた係数値を用いて該注目ドットの階調値を決定し、決定した階調値に応じた濃度補正を行うステップと、
を備える表示データ編集方法。
【請求項８】
複数配列した発光素子を点滅することで文字や画像等を表示する表示装置に使用する表示データを作成する表示データ編集方法において、
２値画情報表示データの各ドットに注目して、注目ドット毎にそれを含む一定範囲の各ドットの状態から当該注目ドットが画像の輪郭部分以外の部分に相当するかどうかを判別するステップと、
前記注目ドットが画像の輪郭部分以外の部分に相当する場合には、前記注目ドットに対して、前記２値画情報表示データにおける位置や前記２値画情報表示データで表示される内容を元にグラデーションを実現する階調値を含む背景用の階調値を決定し、決定した階調値に応じた濃度補正を前記注目ドットに対して行うステップと、
を備える表示データ編集方法。
【発明の詳細な説明】
【技術分野】
【０００１】
本発明は、複数配列したＬＥＤ（light-emitting diode：発光ダイオード）等の発光体を点滅することで文字や画像等を表示する表示装置に使用する表示データを作成する表示データ編集装置、該表示データ編集装置を用いた電光表示システム及び表示データ編集方法に関する。
【背景技術】
【０００２】
従来、上述した表示装置と、該表示装置に表示する内容を作成する表示データ編集装置とを備える電光表示システムがある。この電光表示システムは、営業案内や集客のためのキャッチフレーズ等を発光表示するのに利用され、主に店先や往来、建物の壁面等に設置して使用される。ユーザは、営業・広告内容に応じて表示装置に表示するデータを２値で作成し使用していたが、近年、多階調データを表示することができる表示装置が登場し（例えば、特許文献１参照。）、２値画情報表示データでは営業・広告を表示させるには内容が乏しくなってきた。そのため、多階調で表示させるための多値画情報表示データが求められるようになった。しかし、色情報も多い多値画情報表示データを作成するのに、１ドットずつの階調変換という困難な作業が必要であった。
【０００３】
【特許文献１】特開２００４−２３３４７７号公報
【発明の開示】
【発明が解決しようとする課題】
【０００４】
以上のように、従来は、多値画情報表示データを作成するには、１ドットずつ色を変えるなどして作成していた。この作業は非常に手間がかかり、コスト高になる。
【０００５】
また、図９に示すように、２値画情報表示データを元に多値画情報表示データを作成する場合、入力部１００と出力部１０１との間にある濃度補正部１０２は、例えば色情報を２値での「１」を「１５」に変換するが、その他の「１」〜「１４」までの値へは変換しない。そのため、出力部１０１に渡された多値画情報表示データは元の２値画情報表示データと見た目には変化がなく、また階調を付けるための編集が１ドットずつの手作業になる。
【０００６】
本発明は係る事情に鑑みてなされたものであり、２値画情報表示データの多値画情報表示データへの編集を容易に行うことができる表示データ編集装置、電光表示システム及び表示データ編集方法を提供することを目的としている。
【課題を解決するための手段】
【０００７】
本発明の表示データ編集装置は、複数配列した発光素子を点滅することで文字や画像等を表示する表示装置に使用する表示データを作成する表示データ編集装置において、２値画情報表示データの各ドットに注目して、注目ドット毎にそれを含む一定範囲の各ドットの状態から当該注目ドットが画像の輪郭部分に相当するかどうかを判別する画像輪郭判別手段と、前記注目ドットが画像の輪郭部分に相当する場合には該注目ドットに対して濃度補正を行う濃度処理手段と、を備える。
【０００８】
上記構成によれば、２値画情報表示データに対して１ドットずつ階調変換作業を行うことなく、自動的に画像の輪郭部分の濃度補正をした多値画情報表示データが得られる。
【０００９】
また、上記構成において、前記濃度処理手段は、前記注目ドットを除く前記一定範囲の各ドットに対応させた係数値を用いて前記注目ドットの階調値を決定し、決定した階調値に応じた濃度補正を行う。
【００１０】
上記構成によれば、注目ドットの階調値をその注目ドットの周辺の各ドットに対応させた係数値を用いて決定するので、画像の輪郭部分の階調を自由に設定することができる。
【００１１】
また、上記構成において、前記一定範囲の各ドットに対応させた係数値を、前記注目ドットの左右上下の４ドットに対応させる係数値と斜めの４ドットに対応させる係数値を異なる値にし、前記濃度処理手段は、前記各係数値を用いて前記注目ドットの階調値を決定する。
【００１２】
上記構成によれば、注目ドットに隣接する方向によって補正係数値を区別し、それらの補正係数値を用いて濃度補正を行うことで、より滑らかな階調にすることができる。
【００１３】
また、本発明の表示データ編集装置は、複数配列した発光素子を点滅することで文字や画像等を表示する表示装置に使用する表示データを作成する表示データ編集装置において、２値画情報表示データの各ドットに注目して、注目ドット毎にそれを含む一定範囲の各ドットの状態から当該注目ドットが画像の輪郭部分以外の部分に相当するかどうかを判別する画像輪郭判別手段と、前記注目ドットが画像の輪郭部分以外の部分に相当する場合には該注目ドットに対して濃度補正を行う濃度処理手段と、を備える。
【００１４】
上記構成によれば、２値画情報表示データに対して１ドットずつ階調変換作業を行うことなく、自動的に画像の輪郭部分以外の部分（例えば背景）を濃度補正した多値画情報表示データが得られる。
【００１５】
また、上記構成において、前記濃度処理手段は、前記注目ドットに対して、前記２値画情報表示データにおける位置や前記２値画情報表示データで表示される内容を元にグラデーションを実現する階調値を含む背景用の階調値を決定し、決定した階調値に応じた濃度補正を前記注目ドットに対して行う。
【００１６】
上記構成によれば、注目ドットの階調値を、グラデーションの階調値等の背景用階調値に決定するので、輪郭部分以外の部分の階調を自由に設定することができる。
【００１７】
また、本発明の電光表示システムは、上記表示データ編集装置と、前記表示データ編集装置で作成された表示データを使用して、複数配列した発光素子を点滅することで文字や画像等を表示する表示装置と、を備える。
【００１８】
上記構成によれば、上記表示データ編集装置を備えるので、２値画情報表示データの輪郭部分を滑らかにしたり、輪郭以外の部分を背景色として変更したりすることができるユーザが求める多値画情報表示データを作成して表示することができる。
【００１９】
また、本発明の表示データ編集方法は、複数配列した発光素子を点滅することで文字や画像等を表示する表示装置に使用する表示データを作成する表示データ編集方法において、２値画情報表示データの各ドットに注目して、注目ドット毎にそれを含む一定範囲の各ドットの状態から当該注目ドットが画像の輪郭部分に相当するかどうかを判別するステップと、前記注目ドットが画像の輪郭部分に相当する場合には、前記注目ドットを除く前記一定範囲の各ドットに対応させた係数値を用いて該注目ドットの階調値を決定し、決定した階調値に応じた濃度補正を行うステップと、を備える。
【００２０】
上記方法によれば、２値画情報表示データに対して１ドットずつ階調変換作業を行うことなく、自動的に画像の輪郭部分が滑らかになるように濃度補正した多値画情報表示データが得られる。
【００２１】
また、本発明の表示データ編集方法は、複数配列した発光素子を点滅することで文字や画像等を表示する表示装置に使用する表示データを作成する表示データ編集方法において、２値画情報表示データの各ドットに注目して、注目ドット毎にそれを含む一定範囲の各ドットの状態から当該注目ドットが画像の輪郭部分以外の部分に相当するかどうかを判別するステップと、前記注目ドットが画像の輪郭部分以外の部分に相当する場合には、前記注目ドットに対して、前記２値画情報表示データにおける位置や前記２値画情報表示データで表示される内容を元にグラデーションを実現する階調値を含む背景用の階調値を決定し、決定した階調値に応じた濃度補正を前記注目ドットに対して行うステップと、を備える。
【００２２】
上記方法によれば、２値画情報表示データに対して１ドットずつ階調変換作業を行うことなく、自動的に画像の輪郭部分以外の部分（例えば背景）を濃度補正した多値画情報表示データが得られる。
【発明の効果】
【００２３】
本発明によれば、２値画情報表示データの多値画情報表示データへの編集を容易に行うことができる。
【発明を実施するための最良の形態】
【００２４】
以下、本発明を実施するための好適な実施の形態について、図面を参照して詳細に説明する。
【００２５】
（実施の形態１）
図１は、本発明の実施の形態１に係る電光表示システムの概略構成を示すブロック図である。図１において、本実施の形態の電光表示システム１は、２値画情報表示データを多値画情報表示データに編集する表示データ編集装置２と、表示データ編集装置２で作成された多値画情報表示データを保存するためのＰＣカード３と、ＰＣカード３に保存されている多値画情報表示データを読み込み、ドット表示する表示装置４とを備えて構成される。表示データ編集装置２は、主にコンピュータ（所謂パソコン）からなり、内部の記憶装置（図示略）には２値画情報表示データを多値画情報表示データに編集するためのプログラムが格納されている。表示データ編集装置２の図示せぬＣＰＵ（中央処理装置）は、当該プログラムに従って動作する。なお、この表示データ編集装置２にはキーボードやマウス等のポインチングデバイス（図示略）が接続されている。また、ＰＣカード３にはフラッシュメモリ等のデータ書込み可能な不揮発性メモリが用いられる。
【００２６】
図２は、表示データ編集装置２の機能を示すブロック図であり、この図に示す変換部２１が２値画像情報表示データの２値グラフィックデータを用いて多値画情報表示データ２３を作成する。なお、多値画情報表示データ２３は、テキストデータ２３１と多値グラフィックデータ２３２から構成される。
【００２７】
図３は、表示データ編集装置２の変換部２１の詳細な機能を示すブロック図である。同図において、変換部２１は、２値画情報表示データを読み込む入力部２１１と、入力部２１１で読み込まれた２値画情報表示データを記憶する記憶部２１２と、記憶部２１２に記憶されている２値画情報表示データに各ドットに注目して該注目ドットを含む一定範囲の２値画情報を抽出する画情報抽出部２１３と、記憶部２１２に記憶されている２値画情報表示データと画情報抽出部２１３で抽出された２値画情報とを照合することにより、注目ドットが画像の輪郭部分に相当するかどうかを判別する照合部２１４と、照合部２１４による照合結果より注目ドットが輪郭部分に相当する場合にその注目ドットに対して濃度補正処理を行う濃度補正部２１５と、濃度補正部２１５で濃度補正が行われ多値化された多値画情報表示データを出力する出力部２１６とを備える。なお、画像情報抽出部２１３と照合部２１４は画像輪郭判別手段を構成する。また、濃度補正部２１５は濃度処理手段に対応する。
【００２８】
画情報抽出部２１３は、２値画情報表示データの各ドッドに注目して、その注目ドットを含む一定範囲の複数のドットを２値画情報として抽出し、それを照合部２１４に入力する。例えば、図４（ｂ）に示すような３×３のマトリックスを一定範囲とすると、中央の「Ｅ」に注目ドットが位置するようにして、「Ｅ」位置のドッドとその周辺の「Ａ」、「Ｂ」、「Ｃ」、「Ｄ」、「Ｆ」、「Ｇ」、「Ｈ」及び「Ｉ」位置のドットを２値画情報として抽出して照合部２１４に入力する。
【００２９】
照合部２１４は、画像情報抽出部２１３で２値画情報が抽出される毎に記憶部２１２が記憶している２値画情報表示データと照合して、注目ドットが画像の輪郭部分に相当するかどうかを判別し、輪郭部分に相当する場合は注目ドットとその周辺ドットの状態を示す２値画情報を濃度補正部２１５に入力する。ここで、注目ドットが画像の輪郭部分に相当する場合とは、注目ドットを含む２値画情報の全てが点灯オン（即ち”１”）又は全てが点灯オフ（即ち”０”）以外の場合のことである。
【００３０】
濃度補正部２１５は、輪郭部分に相当する注目ドットに対して階調値を決定して濃度補正を行う。階調値の決定には、図４（ａ）に示すような「Ｅ」位置を除く「Ａ」〜「Ｉ」の各位置に対して割り当てられた係数値が用いられる。例えば、図４（ｂ）において、「Ｅ」位置の注目ドットの周辺ドットが「Ｆ」、「Ｉ」及び「Ｈ」位置にのみある場合（例えば注目ドットが２値画情報表示データの端に位置するドットの場合）で、「Ｆ」、「Ｉ」及び「Ｈ」位置の各ドットが全て点灯しているとすると、注目ドットの階調値は、「Ｆ」位置の係数値１２％と、「Ｈ」位置の係数値１２％と、「Ｉ」位置の係数値７．５％を合計した値３１．５％となる。
【００３１】
また、例えば、「Ｅ」位置の注目ドットの周辺ドットが「Ａ」〜「Ｉ」位置の全てにある場合で、「Ａ」、「Ｄ」及び「Ｇ」位置の各ドットが点灯しているとすると、注目ドットの階調値は、「Ａ」位置の係数値７．５％と、「Ｄ」位置の係数値１２％と、「Ｇ」位置の係数値７．５％を合計した値２７％となる。
【００３２】
このようにして、注目ドット毎にその周辺ドットに対する係数値を用いて階調値を決定し、決定した階調値に注目ドットの濃度補正を行う。
【００３３】
図５（Ａ）は２値画情報表示データによる表示例であり、図５（Ｂ）は図５（Ａ）の２値画情報表示データを多値画情報表示データに編集した結果である。「ＯＰＥＮ」の各文字の輪郭部分が多階調となっている。
【００３４】
図６は、電光表示システム１の変換部２１の動作を示すフローチャートである。同図において、まず注目ドットが画像の輪郭部分に相当するかどうかを判定する（ステップＳ１０）。即ち、２値画情報表示データを構成する全てのドッドに対して１ドットずつ注目ドットとして、該注目ドットを含む一定範囲の複数のドットを２値画情報として抽出し、抽出した２値画情報と記憶部２１２が記憶している２値画情報表示データと照合して、注目ドットが画像の輪郭部分に相当するかどうかを判別する。この判定において注目ドットが画像の輪郭部分に相当すれば（ステップＳ１０の判定でＹｅｓの場合）、当該部分の注目ドットの濃度を補正する（ステップＳ１１）。その後、次の注目のドッドがあるかどうかを判定し（ステップＳ１２）、次の注目のドッドがあれば、ステップＳ１０に戻り、上記同様の処理を繰り返す。これに対して次の注目のドッドがなければ、濃度補正して多階調化した多値画情報表示データを出力する。また、ステップＳ１０の判定において、輪郭部分に相当する部分でなければ（ステップＳ１０の判定でＮｏの場合）、そのままステップＳ１２に進み、次の注目ドッドの有無を判定する。
【００３５】
このように、本実施の形態の電光表示システム１によれば、画情報抽出部２１３が、２値画情報表示データの各ドットに注目して、この注目ドットを含む一定範囲の２値画情報を注目ドット毎に抽出し、照合部２１４が、注目ドット毎に画情報抽出部２１３で抽出された２値画情報を記憶部２１２に記憶されている２値画情報表示データと照合して、注目ドットが画像の輪郭部分に相当するかどうかを判別し、注目ドットが画像の輪郭部分に相当する場合には、濃度補正部２１５が、注目ドットを除く一定範囲の各ドットに対応させた係数値を用いて注目ドットの階調値を決定して、その階調値に応じた濃度補正を行う。
【００３６】
したがって、従来行っていた２値画情報表示データから多値画情報表示データへの１ドットずつの階調変換作業が不要になると共に、注目ドットが画像の輪郭部分に相当するかどうかをデータの照合処理により行うことから、画像の輪郭部分に対する濃度補正処理を簡単に行うことができる。また、注目ドットの階調値を、注目ドットの周辺の各ドットに対応させた係数値を用いて決定するので、画像の輪郭部分の表現を自由に設定することができる。また、注目ドットに隣接する方向によって補正係数値を区別し、それらの補正係数値を用いて濃度補正を行うことで、より滑らかな階調にすることができる。
【００３７】
なお、本実施の形態では、図４（ａ）に示す係数値を用いて注目ドットの階調値を決定し濃度補正を行ったが、階調値を決定する係数値は図４（ａ）に示す値に限定されるものではない。図７に係数値の違いによる表示の違いを例示したものである。図７（ａ）は元の２値データによる表示例、図７（ｂ）は図４（ａ）の係数値を用いて濃度補正した表示例、図７（ｃ）は同図に示す係数値（Ｅを除くＡ〜Ｉの全てが１２％）で濃度補正した表示例である。なお、図４（ａ）のように、注目ドットに対して左右上下の４ドットの係数値と斜めの４ドットの係数値を違えることで斜めが綺麗になるなど表現が豊かになる。
【００３８】
（実施の形態２）
本発明の実施の形態２に係る電光表示システムは、画像の輪郭部分に相当する部分以外の注目ドットに対して濃度補正を行うようにしたものであり、上述した実施の形態１とは、変換部２１の照合部２１４と濃度補正部２１５の機能に違いがあるものの、その他の機能は変わらない。そこで、以下の説明において上述した図１〜図３を援用することとする。特に、照合部と濃度補正部に与えた符号の後に”Ａ”を付けることとする。
【００３９】
図３において、画情報抽出部２１３は、２値画情報表示データを構成する全てのドッドに対して１ドットずつ注目ドットとして該注目ドットを含む一定範囲の複数のドットを２値画情報として抽出し照合部２１４Ａに入力する。２値画情報の取得は、実施の形態１と同様である。照合部２１４Ａは、画像情報抽出部２１３で２値画情報が抽出される毎に記憶部２１２が記憶している２値画情報表示データと照合して注目ドットが画像の輪郭部分以外の部分に相当するかどうかを判別し、輪郭部分以外の部分に相当する場合は、注目ドットを濃度補正部２１５Ａに入力する。濃度補正部２１５Ａは、画像の輪郭部分以外の部分に相当する注目ドットに対して、該ドットの位置や背景情報を元にグラデーション等の階調値を決定し、濃度補正を行う。
【００４０】
図５（Ｃ）は図５（Ａ）の２値画情報表示データを多値画情報表示データに編集した結果である。「ＯＰＥＮ」の各文字はそのまま２値で表示されており、背景部分がグレースケールで表示されている。
【００４１】
図８は、電光表示システム１Ａの変換部２１の動作を示すフローチャートである。同図において、まず注目ドットが画像の輪郭部分に相当する部分以外かどうかを判定する（ステップＳ２０）。即ち、２値画情報表示データを構成する全てのドッドに対して１ドットずつ注目ドットとして、該注目ドットを含む一定範囲の複数のドットを２値画情報として抽出し、抽出した２値画情報と記憶部２１２が記憶している２値画情報表示データと照合して注目ドットが画像の輪郭部分に相当する部分以外かどうかを判別する。画像の輪郭部分に相当する部分以外であれば（ステップＳ２０の判定でＹｅｓの場合）、注目ドットの濃度を補正する（ステップＳ２１）。その後、次の注目のドッドがあるかどうか判定し（ステップＳ２２）、次の注目のドッドがあればステップＳ２０に戻り、上記同様の処理を繰り返す。これに対して次の注目のドッドがなければ、濃度補正し多階調化した多値画情報表示データを出力する。また、ステップＳ２０の判定において、画像の輪郭部分に相当する部分であれば（ステップＳ２０の判定でＮｏの場合）、そのままステップＳ２２に進み、次の注目ドッドの有無を判定する。
【００４２】
このように、本実施の形態の電光表示システム１Ａによれば、画情報抽出部２１３が、２値画情報表示データの各ドットに注目して、この注目ドットを含む一定範囲の２値画情報を注目ドット毎に抽出し、照合部２１４Ａが、注目ドット毎に画情報抽出部２１３で抽出された２値画情報を記憶部２１２に記憶されている２値画情報表示データと照合して、注目ドットが画像の輪郭部分に相当する部分以外かどうかを判別し、注目ドットが画像の輪郭部分に相当する部分以外であれば、濃度補正部２１５Ａが注目ドットに対して階調値を決定して濃度補正を行う。したがって、従来行っていた２値画情報表示データから多値画情報表示データへの１ドットずつの階調変換作業が不要になると共に、注目ドットが画像の輪郭部分に相当する部分以外かどうかをデータの照合処理により行うことから、画像の輪郭部分に相当する部分以外に対する濃度補正処理を簡単に行うことができる。すなわち、注目ドットが画像の輪郭部分に相当しない場合の濃度補正処理を実行した多値画情報表示データなど、ユーザが求める多値画情報表示データを作成することができる。
【００４３】
なお、上記実施の形態１においては、画像の輪郭部分に相当する部分に対して濃度補正を行い、上記実施の形態２においては、画像の輪郭部分に相当する部分以外の部分に対して濃度補正を行うようにしたが、これらの処理を組み合わせて、任意に選択できるようにしても良い。このようにすると、容易に２通りの多値画情報表示データを作成することができる。また、実施の形態１の処理と実施の形態２の処理を連続して行っても良い。２つの処理を行うことにより、図４（Ａ）の２値画情報表示データを、図４（Ｂ）の注目ドットが輪郭部分に相当した場合の濃度補正処理を実行した多値画情報表示データや、図４（Ｃ）の注目ドットが輪郭部分に相当しない場合の濃度補正処理を実行した多値画情報表示データなど、ユーザが求める多値画情報表示データを作成することができる。
【００４４】
また、上記実施の形態１、２では、画像の輪郭部分の判別を、注目ドットを含む一定範囲の２値画情報を抽出して、それと２値画表示データとを照合することで行うようにしたが、この方法に限定することなく、抽出した２値画情報のみで画像の輪郭部分を判別することも可能である。
【００４５】
また、上記実施の形態１、２において、表示装置４用の発光素子として発光ダイオードを用いることで、環境の変化に対する耐久性の高い電光表示システムを提供することができる。
【産業上の利用可能性】
【００４６】
本発明は、２値画情報表示データの多値画情報表示データへの編集を容易に行うことができるといった効果を有し、広告用の電飾スタンド看板などの電光表示システム等への適用が可能である。
【図面の簡単な説明】
【００４７】
【図１】本発明の実施の形態１に係る電光表示システムの概略構成を示すブロック図
【図２】本発明の実施の形態１に係る電光表示システムにおける表示データ編集装置の機能ブロック図
【図３】本発明の実施の形態１に係る電光表示システムの変換部の詳細な機能を示すブロック図
【図４】本発明の実施の形態１に係る電光表示システムの変換部で用いられる係数値を示すマトリクスの係数値表を示す図
【図５】本発明の実施の形態１に係る電光表示システムでの表示イメージと実施の形態２に係る電光表示システムでの表示イメージを示す図
【図６】本発明の実施の形態１に係る電光表示システムにおける動作を説明するためのフローチャート
【図７】本発明の実施の形態１に係る電光表示システムの変換部で用いられる係数値の違いによる表示の違いの一例を示す図
【図８】本発明の実施の形態２に係る電光表示システムにおける動作を説明するためのフローチャート
【図９】従来の表示データ編集装置の概略構成を示すブロック図
【符号の説明】
【００４８】
１、１Ａ  電光表示システム
２  表示データ編集装置
３  ＰＣカード
４  表示装置
２１、２１Ａ  変換部
２１１  入力部
２１２  記憶部
２１３  画像情報抽出部
２１４、２１４Ａ  照合部
２１５、２１５Ａ  濃度補正部
２１６  出力部
２２  ２値画情報表示データ
２３  多値画情報表示データ
２２１  ２値グラフィックデータ
２３１  テキストデータ
２３２  多値グラフックデータ
【図１】
2008233829.tif 000003
【図２】
2008233829.tif 000004
【図３】
2008233829.tif 000005
【図４】
2008233829.tif 000006
【図５】
2008233829.tif 000007
【図６】
2008233829.tif 000008
【図７】
2008233829.tif 000009
【図８】
2008233829.tif 000010
【図９】
2008233829.tif 000011